(57)【要約】【課題】装飾性に優れると共に、グリップに施した模様が長年の使用によっても、剥がれ落ちることなく、使用時の滑り止め効果やフィット感を良くすると共に、使用者の好みにも適したものとすることができ、さらに簡単に製造することができるゴルフクラブのグリップを提供する。【解決手段】互いに異なる色彩の外層１と内層２の二層構造とし、外層１には連続又は不連続とした複数の孔３を設け、これらの孔３から内層２を露出させたものとしている。【選択図】図１
2014033786.tif 000002
【特許請求の範囲】
【請求項１】
互いに異なる色彩の外層（１）と内層（２）の二層構造とし、外層（１）には連続又は不連続とした複数の孔（３）を設け、これらの孔（３）から内層２を露出させたものとしたことを特徴とするゴルフクラブのグリップ。
【請求項２】
前記外層（１）を、内層（２）より薄く、内層（２）より軟質のゴム又は合成樹脂で形成したものとしたことを特徴とする請求項１記載のゴルフクラブのグリップ。
【請求項３】
前記外層（１）を、内層（２）より厚く、内層（２）より硬質のゴム又は合成樹脂で形成したものとしたことを特徴とする請求項１記載のゴルフクラブのグリップ。
【発明の詳細な説明】
【技術分野】
【０００１】
この発明は、ゴルフクラブのシャフトに装着されるグリップに関するものである。
【背景技術】
【０００２】
従来のゴルフクラブのグリップとしては、ゴムや合成樹脂からなるものが存在し、装飾性を持たせたり、使用時の滑り止めなどのために、表面に凹凸条の模様を形成したものが存在する（特許文献１）。
【０００３】
さらに、従来のゴルフクラブのグリップとしては、前記凹条内に適宜な色の塗装を施し、いわゆるラインカラーを形成して、装飾性をより良くしたものが存在する（特許文献２）。
【０００４】
また、従来のゴルフクラブのグリップとしては、ゴムや合成樹脂からなり、内層と外層の二層構造としたものが存在する。このようなゴルフクラブのグリップは、内層を硬質のゴム層とし、外層を軟質のゴム層としたり、逆に内層を軟質のゴム層とし、外層を硬質のゴム層としたりして、使用時の滑り止め効果やフィット感を良くしたものが存在する（特許文献３）。
【０００５】
さらにまた、従来のゴルフクラブのグリップとしては、二色のゴムや合成樹脂を大理石状模様に入り混じった状態で成形したものとし、装飾性をさらにより良くしたものが存在する（非特許文献）。
【先行技術文献】
【特許文献】
【０００６】
【特許文献１】特開平４ー１２６１６９号公報
【特許文献２】特開平３ー１１２５７５号公報
【特許文献３】実開昭５９ー８７８５８号公報
【非特許文献１】「五一ゴムの加工技術」（五一株式会社）［平成２４年７月２４日検索］、インターネット＜ＵＲＬ  http://www.51-rubber.com/process/index.htm＞
【発明の概要】
【発明が解決しようとする課題】
【０００７】
しかしながら、上記従来のゴルフクラブのグリップにおいて、表面に形成した凹凸条の凹条内に適宜な色の塗装を施したものは、装飾性が良くなるが、長年の使用によって、その塗装が剥がれ落ちてしまい、わざわざ施した模様が台無しになってしまうという課題を有していた。
【０００８】
さらに、上記従来のゴルフクラブのグリップにおいて、単に内層と外層の二層構造としたものは、使用時の滑り止め効果やフィット感が良くなるが、装飾性に劣るという課題を有していた。
【０００９】
また、上記従来のゴルフクラブのグリップにおいて、大理石状模様に成形したものは、装飾性がより良くなるが、製造するのが難しいという課題を有していた。
【００１０】
そこで、この発明は、上記従来のゴルフクラブのグリップにおける課題を解決するものであり、装飾性に優れると共に、グリップに施した模様が長年の使用によっても、剥がれ落ちることなく、使用時の滑り止め効果やフィット感を良くすると共に、使用者の好みにも適したものとすることができ、さらに簡単に製造することができるゴルフクラブのグリップを提供することを目的としてなされたものである。
【課題を解決するための手段】
【００１１】
この発明のゴルフクラブのグリップは、互いに異なる色彩の外層１と内層２の二層構造とし、外層１には連続又は不連続とした複数の孔３を設け、これらの孔３から内層２を露出させたものとしている。
【００１２】
そして、この発明のゴルフクラブのグリップにおいて、前記外層１を、内層２より薄く、内層２より軟質のゴム又は合成樹脂で形成したものとしている。
【００１３】
さらに、この発明のゴルフクラブのグリップにおいて、前記外層１を、内層２より厚く、内層２より硬質のゴム又は合成樹脂で形成したものとしている。
【発明の効果】
【００１４】
この発明のゴルフクラブのグリップは、以上に述べたような構成としているので、外層１に設けた連続又は不連続とした複数の孔３から露出した内層２の色彩が模様として浮き上がらせることができ、その模様が際立たったものとなって、装飾性に優れたものとなる。
【００１５】
そして、この発明のゴルフクラブのグリップは、外層１に設けた連続又は不連続とした複数の孔３がグリップ表面に凹部を形成するので、グリップを握った手の平や指がその凹部に当接して、使用時の滑り止め効果やフィット感を良くすると共に、使用者の好みに適したものとすることができる。
【００１６】
さらに、この発明のゴルフクラブのグリップは、外層１に設けた連続又は不連続とした複数の孔３によって模様が形成されているので、長年の使用によっても、従来の塗装による模様のように剥がれ落ちることもない。
【００１７】
また、この発明のゴルフクラブのグリップは、従来の内層と外層の二層構造としたグリップと殆ど同様の工程で製造できるので、簡単に製造することができる。
【図面の簡単な説明】
【００１８】
【図１】この発明のゴルフクラブのグリップの一実施形態を示す斜視図である。
【図２】図１に示すこの発明のゴルフクラブのグリップの縦断面図である。
【図３】図２中のＡ−Ａ線による断面図である。
【図４】この発明のゴルフクラブのグリップの他の実施形態を示す縦断面図である。
【図５】図４中のＢ−Ｂ線による断面図である。
【図６】この発明のゴルフクラブのグリップのさらに他の実施形態を示す縦断面図である。
【図７】図６中のＣ−Ｃ線による断面図である。
【図８】この発明のゴルフクラブのグリップの製造工程の一例を示す説明図である。
【図９】この発明のゴルフクラブのグリップの製造工程の他例を示す説明図である。
【発明を実施するための形態】
【００１９】
以下、この発明のゴルフクラブのグリップを実施するための形態を、図面に基づいて詳細に説明する。
【００２０】
この発明のゴルフクラブのグリップは、図１〜７に示したように、互いに異なる色彩の外層１と内層２の二層構造とし、外層１には連続又は不連続とした複数の孔３を設け、これらの孔３から内層２を露出させたものとしている。
【００２１】
前記外層１及び内層２は、ゴムや合成樹脂などからなるものとしており、例えば図示したように、外層１を内層２より薄く形成し、外層１を内層２より軟質の材料で形成しているが、外層１を内層２より厚く形成し、外層１を内層２より硬質の材料で形成したり、外層１と内層２を同じ厚さに形成し、外層１と内層２を同質の材料で形成するなど、各種の態様とすることができる。どのような態様にするかは、使用するクラブの種類によったり、使用者の好みによって適宜、選択すれば良い。
【００２２】
なお、前記内層２は、図４、５に示したように、孔３内において少し突き出たものとすることができる。さらに、前記内層２は、図示していないが、孔３内から突き出たものとしてもよい。このようにするには、例えば、内層２を外層１より軟質の材料で形成し、外層１をその内層２の上に強く重ねるようにすればよい。また、前記内層２は、図６、７に示したように、孔３内から少し窪んだものとすることもできる。このようにするには、例えば、図１、２の状態のものを後加工すればよい。このような態様にすることにより、前記外層１に設けた複数の孔３から、グリップを握った手の平や指が、その内層２の突き出た部分や窪んだ部分に接触して、使用時の滑り止め効果やフィット感を色々なものにして、使用者の好みに適したものとすることができる。
【００２３】
この発明において、外層１と内層２とは互いに異なる色彩にしているが、色彩の濃淡の差を大きくするのが好ましい。すなわち、外層１を濃い色にした場合には、内層２を淡い色にするのが好ましく、内層２を濃い色にした場合には、外層１を淡い色にするのが好ましい。このようにすると、内層２の色彩がより際立った模様として浮き上がらせることができ、より装飾性に優れたものとなる。
【００２４】
前記孔３は、図示したものでは、菱形の孔をグリップの長さ方向に等間隔で４列に複数個、一直線状に連続させたものとしているが、その他各種の形態とすることができる。例えば、円形、三角形、星形などの幾何学形状、犬や猫、草花などの動植物を象った形状の孔を、グリップの一部に設けたり、グリップの全体的に行き渡るように設けたものとしたり、これらの孔を図示したものと同様にグリップの長さ方向に複数個、線状に連続させたものとしたり、幾何学形状や動植物の輪郭を象った多数の小孔としたものなどを挙げることができる。
【００２５】
したがって、この発明では、外層１と内層２の色彩の組み合わせ、外層１に設ける孔３の形態の組み合わせによって、簡単に行く通りにも異なる模様にすることができるので、多種少量生産を行う場合にも適したものとなる。
【００２６】
次に、この発明のゴルフクラブのグリップを製造するには、例えば、次のようにして行われるが、この製造方法に限定されるものではない。
【００２７】
先ず、図８（ａ）に示したように、独立して形成した内層２を芯材１１に支持させ、一対の金型１２内に投入し、図８（ｂ）に示したように、金型１２を閉じ、この金型１２のインレット通路１３から外層１の成形材料を注入することにより、内層２の外表面に外層１を成形し、金型１２から取り出せば、図８（ｃ）に示したように、この発明のゴルフクラブのグリップを製造することができる。
【００２８】
さらに、図９に示したように、連続又は不連続とした複数の孔３を設けた外層シート２１と、この外層シート２１と色彩の異なる内層シート２２とを二枚重ねにしたシートＡ、Ｂを、芯材２３の上下に配置し、この芯材２３と共にシートＡ、Ｂを一対の金型２４内に押し込んでプレス成形すれば、この発明のゴルフクラブのグリップを製造することができる。
【００２９】
以上のように構成されたこの発明のゴルフクラブのグリップは、図１〜７に示したように、外層１に設けた複数の菱形の孔３から露出した内層２の色彩が模様として浮き上がったものとなる。したがって、その模様が際立ったものとなり、装飾性に優れたものとなる。この場合、前記したように、色彩の濃淡の差を大きくするほど、内層２の色彩がより際立った模様として浮き上がらせることができ、より装飾性に優れたものとなる。
【００３０】
そして、この発明のゴルフクラブのグリップは、前記外層１に設けた複数の菱形の孔３がグリップ表面に凹部を形成するので、グリップを握った手の平や指がその凹部に接触して、使用時の滑り止め効果やフィット感が良くなる。
【００３１】
さらに、この発明のゴルフクラブのグリップは、前記内層２を孔３内において少し突き出たものとしたり、孔３内から突き出たものとしたり、孔３内から少し窪んだものとした場合には、前記外層１に設けた複数の孔３から、グリップを握った手の平や指が、その内層２の突き出た部分や窪んだ部分に接触して、使用時の滑り止め効果やフィット感を色々なものにして、使用者の好みに適したものとすることができる。
【００３２】
また、この発明のゴルフクラブのグリップは、前記外層１に設けた複数の菱形の孔３によって模様が形成されているので、長年の使用によっても、従来の塗装による模様のように剥がれ落ちることもない。
【００３３】
さらに、この発明のゴルフクラブのグリップは、図８、９に示したように、従来の内層と外層の二層構造としたグリップと殆ど同様の工程で製造できるので、簡単に製造することができるものとなる。
【符号の説明】
【００３４】
１  外層
２  内層
３  孔
【図１】
2014033786.tif 000003
【図２】
2014033786.tif 000004
【図３】
2014033786.tif 000005
【図４】
2014033786.tif 000006
【図５】
2014033786.tif 000007
【図６】
2014033786.tif 000008
【図７】
2014033786.tif 000009
【図８】
2014033786.tif 000010
【図９】
2014033786.tif 000011
【手続補正書】
【提出日】平成25年5月28日(2013.5.28)
【手続補正１】
【補正対象書類名】特許請求の範囲
【補正対象項目名】全文
【補正方法】変更
【補正の内容】
【特許請求の範囲】
【請求項１】
互いに異なる色彩の外層（１）と内層（２）の二層構造とし、外層（１）には連続又は不連続とした複数の孔（３）を設け、これらの孔（３）から内層２を露出させたものとしたゴルフクラブのグリップであって、前記外層（１）を、内層（２）より薄く、内層（２）より軟質のゴム又は合成樹脂で形成したものとし、さらに前記内層（２）を、前記孔（３）内において少し突き出たものとしたことを特徴とするゴルフクラブのグリップ。
【手続補正２】
【補正対象書類名】明細書
【補正対象項目名】００１１
【補正方法】変更
【補正の内容】
【００１１】
この発明のゴルフクラブのグリップは、互いに異なる色彩の外層１と内層２の二層構造とし、外層１には連続又は不連続とした複数の孔３を設け、これらの孔３から内層２を露出させたものとし、前記外層１を、内層２より薄く、内層２より軟質のゴム又は合成樹脂で形成したものとし、さらに前記内層２を、前記孔３内において少し突き出たものとしている。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】